(57)【要約】【課題】スライド移動方向に向かう長さ寸法を短くできて小型化が図れるプッシュロックスイッチを提供する。【解決手段】第１，第２スイッチケース１０，２１０と、第１，第２スイッチケース１０，２１０内にスライド移動自在に収納される操作体１１０と、操作体１１０をスライド移動方向Ａに弾発する弾発バネ１９０と、操作体１１０のスライド移動によって接点が開閉されるスイッチ機構５０と、操作体１１０を弾発バネ１９０の弾発力に抗して押圧移動したロック位置にてロック保持するとともに再度の押圧によって非ロック位置に自動復帰させるロック機構１５０とを具備する。弾発バネ１９０を設置する領域Ｓ３及びロック機構１５０を設置する領域Ｓ２をスライド移動方向Ａに向けて併設するとともに、これら領域Ｓ３及び領域Ｓ２とスイッチ機構５０を設置する領域Ｓ１とをスライド移動方向Ａに対して交叉する対向位置に並列に配置する。【選択図】図１
2010033950.tif 000002
【特許請求の範囲】
【請求項１】
スイッチケースと、
スイッチケース内にスライド移動自在に収納される操作体と、
操作体をスイッチケース内においてスライド移動方向に弾発する弾発機構と、
スイッチケース内に設置され、前記操作体のスライド移動によって接点が開閉制御されるスイッチ機構と、
スイッチケース内に設置され、前記操作体を前記弾発機構の弾発力に抗して押圧移動したロック位置にてロック保持するとともに再度の押圧によって非ロック位置に自動復帰させるロック機構と、を具備し、
前記弾発機構及びロック機構をスライド移動方向に向けて併設するとともに、これら弾発機構及びロック機構と前記スイッチ機構とを、操作体のスライド移動方向に対して交叉する対向位置に並列に配置したことを特徴とするプッシュロックスイッチ。
【請求項２】
請求項１に記載のプッシュロックスイッチにおいて、
前記弾発機構は、円筒形状に巻き回されたコイルバネであることを特徴とするプッシュロックスイッチ。
【請求項３】
請求項１又は２に記載のプッシュロックスイッチにおいて、
前記スイッチ機構は、スイッチケースに固定される共通固定端子片と、スイッチケースに固定され固定接点を有する固定端子片と、共通固定端子片に対して回動自在に係合され且つ前記操作体の移動によって回転駆動される回転子と、回転子に対して回動自在に係合され且つ可動接点を有する可動接触片と、可動接触片と共通固定端子片間を弾発することで前記共通固定端子片と回転子と可動接触片間の係合状態を維持すると同時に回転子の回転位置に応じて可動接触片の可動接点と固定端子片の固定接点間をオン又はオフさせる圧縮バネとを具備して構成され、
前記可動接触片は、その長手方向が前記操作体のスライド移動方向とほぼ平行になるように配置されていることを特徴とするプッシュロックスイッチ。
【請求項４】
請求項１乃至３の内の何れかに記載のプッシュロックスイッチにおいて、
前記ロック機構は、両端部分を略直角に屈曲してなる棒状の連結ピンの一端を回動自在にスイッチケースに軸支するとともに、連結ピンの他端を操作体に設けたカム溝機構内に挿入係合して前記操作体のスライド移動位置に応じてカム溝機構内での係合位置を変更することで操作体をそのロック位置と非ロック位置とに移動させる構造であり、
前記連結ピンは、その長手方向が前記操作体のスライド移動方向とほぼ平行になるように配置されていることを特徴とするプッシュロックスイッチ。
【請求項５】
請求項１乃至４の内の何れかに記載のプッシュロックスイッチにおいて、
前記スイッチケース内に前記スライド移動方向に向かう分離壁を設け、分離壁で分離された一方の室にスイッチ機構を収納し、他方の室にロック機構と弾発機構を収納したことを特徴とするプッシュロックスイッチ。
【発明の詳細な説明】
【技術分野】
【０００１】
本発明は、電源スイッチ等として用いて好適なプッシュロックスイッチに関するものである。
【背景技術】
【０００２】
従来この種のプッシュロックスイッチは、例えば特許文献１の図１に示すように、スイッチケース（Ａ）内にスライド移動自在に操作体（Ｃ）を収納し、圧縮スプリング（１０）によって操作体（Ｃ）を一方向ｄに弾発し、圧縮スプリング（１０）の弾発力に抗して操作体（Ｃ）をスライド移動することでスイッチケース（Ａ）内に設置している接触機構（Ｂ）を駆動してスイッチのオンオフを行い、また操作体（Ｃ）とスイッチケース（Ａ）の間に操作体（Ｃ）をスライド移動した際にその移動位置で一旦停止させるオルタネイト機構（Ｄ）を設置して構成されていた。
【０００３】
しかしながら上記従来のプッシュロックスイッチにおいては、接触機構（Ｂ）とオルタネイト機構（Ｄ）と圧縮スプリング（１０）とをほぼ直線状に１列に配置していたので、スライド移動方向に向かう長さ寸法が長く、その小型化の要望に答えられなかった。
【特許文献１】特開平７−２１８７６号公報
【発明の開示】
【発明が解決しようとする課題】
【０００４】
本発明は上述の点に鑑みてなされたものでありその目的は、スライド移動方向に向かう長さ寸法を短くできてその小型化を図ることができるプッシュロックスイッチを提供することにある。
【課題を解決するための手段】
【０００５】
本願請求項１に記載の発明は、スイッチケースと、スイッチケース内にスライド移動自在に収納される操作体と、操作体をスイッチケース内においてスライド移動方向に弾発する弾発機構と、スイッチケース内に設置され、前記操作体のスライド移動によって接点が開閉制御されるスイッチ機構と、スイッチケース内に設置され、前記操作体を前記弾発機構の弾発力に抗して押圧移動したロック位置にてロック保持するとともに再度の押圧によって非ロック位置に自動復帰させるロック機構と、を具備し、前記弾発機構及びロック機構をスライド移動方向に向けて併設するとともに、これら弾発機構及びロック機構と前記スイッチ機構とを、操作体のスライド移動方向に対して交叉する対向位置に並列に配置したことを特徴とするプッシュロックスイッチにある。
【０００６】
本願請求項２に記載の発明は、請求項１に記載のプッシュロックスイッチにおいて、前記弾発機構は、円筒形状に巻き回されたコイルバネであることを特徴とするプッシュロックスイッチにある。
【０００７】
本願請求項３に記載の発明は、請求項１又は２に記載のプッシュロックスイッチにおいて、前記スイッチ機構は、スイッチケースに固定される共通固定端子片と、スイッチケースに固定され固定接点を有する固定端子片と、共通固定端子片に対して回動自在に係合され且つ前記操作体の移動によって回転駆動される回転子と、回転子に対して回動自在に係合され且つ可動接点を有する可動接触片と、可動接触片と共通固定端子片間を弾発することで前記共通固定端子片と回転子と可動接触片間の係合状態を維持すると同時に回転子の回転位置に応じて可動接触片の可動接点と固定端子片の固定接点間をオン又はオフさせる圧縮バネとを具備して構成され、前記可動接触片は、その長手方向が前記操作体のスライド移動方向とほぼ平行になるように配置されていることを特徴とするプッシュロックスイッチにある。
【０００８】
本願請求項４に記載の発明は、請求項１乃至３の内の何れかに記載のプッシュロックスイッチにおいて、前記ロック機構は、両端部分を略直角に屈曲してなる棒状の連結ピンの一端を回動自在にスイッチケースに軸支するとともに、連結ピンの他端を操作体に設けたカム溝機構内に挿入係合して前記操作体のスライド移動位置に応じてカム溝機構内での係合位置を変更することで操作体をそのロック位置と非ロック位置とに移動させる構造であり、前記連結ピンは、その長手方向が前記操作体のスライド移動方向とほぼ平行になるように配置されていることを特徴とするプッシュロックスイッチにある。
【０００９】
本願請求項５に記載の発明は、請求項１乃至４の内の何れかに記載のプッシュロックスイッチにおいて、前記スイッチケース内に前記スライド移動方向に向かう分離壁を設け、分離壁で分離された一方の室にスイッチ機構を収納し、他方の室にロック機構と弾発機構を収納したことを特徴とするプッシュロックスイッチにある。
【発明の効果】
【００１０】
請求項１に記載の発明によれば、弾発機構及びロック機構とスイッチ機構とを操作体のスライド移動方向に対して交叉する対向位置に並列に配置したので、プッシュロックスイッチのスライド移動方向に向かう長さ寸法を短くできてその小型化を図ることができる。
【００１１】
請求項２に記載の発明によれば、弾発機構としてコイルバネを用い、そのコイルバネの圧縮方向の長さ寸法を長くして良好な押圧感触や、十分な押圧ストロークを得るようにしても、上記請求項１において弾発機構をスイッチ機構に併設させることによってプッシュロックスイッチを十分小型化させることができる。
【００１２】
請求項３に記載の発明によれば、スイッチ機構を構成する可動接触片の長手方向の向きを操作体のスライド移動方向と略一致させたので、スイッチ機構全体の長手方向の向きも操作体のスライド移動方向と略一致でき、このためプッシュロックスイッチのスライド移動方向に直交する方向の外形寸法（幅寸法）を小さくすることができる。
【００１３】
請求項４に記載の発明によれば、ロック機構を構成する連結ピンの長手方向の向きを操作体のスライド移動方向と略一致させたので、ロック機構全体の長手方向の向きも操作体のスライド移動方向と略一致でき、このためプッシュロックスイッチのスライド移動方向に直交する方向の外形寸法（幅寸法）を小さくすることができる。
【００１４】
請求項５に記載の発明によれば、スイッチケース内にスイッチ機構とロック機構及び弾発機構とを仕切る分離壁を設けたので、スイッチ機構のスイッチのオンオフ時に発生するアークに伴って生じる接点からの金属微粒子がロック機構及び弾発機構側に移動して付着してその動作に支障をきたすことを確実に防止できる。同時に分離壁は操作体のスライド移動をガイドするレールとして用いることができる。レールとして用いた場合は操作体に設けたレール係合部をこのレールに係合させることになるので、ロック機構及び弾発機構を収納する室とスイッチ機構を収納する室とをより確実に分離させることができる。
【発明を実施するための最良の形態】
【００１５】
以下、本発明の実施形態を図面を参照して詳細に説明する。
〔第１実施形態〕
図１は本発明の第１実施形態にかかるプッシュロックスイッチ１−１の斜視図、図２はプッシュロックスイッチ１−１の分解斜視図（その上側の部品）、図３はプッシュロックスイッチ１−１の分解斜視図（その下側の部品）である。これらの図に示すようにプッシュロックスイッチ１−１は、第１スイッチケース１０内に、スイッチ機構５０と、操作体１１０と、ロック機構１５０と、弾発機構（以下「弾発バネ」という）１９０とを収納し、その上に第２スイッチケース２１０と取付板２３０とを取り付けて構成されている。以下各構成部品について説明する。なお以下の説明において、「上」とは第１スイッチケース１０から操作体１１０側を向く方向をいい、「下」とはその反対方向をいうものとする。また図２に示す矢印Ａ方向、即ち第１スイッチケース１０内に収納した操作体１１０の移動方向をスライド移動方向Ａというものとする。
【００１６】
図４は第１スイッチケース１０を下面側から見た斜視図である。図３及び図４に示すように第１スイッチケース１０は合成樹脂の一体成形品であり、上面が開放された略矩形状の箱型に形成され、上面側の凹部が収納部１１になっている。収納部１１は中央に設けたスライド移動方向Ａに向かう分離壁１３によって２つの室１５，１７に分離されており、一方の室１５をスイッチ機構設置室１５、他方の室１７をロック及び弾発機構収納室１７としている。分離壁１３は略平板状で、収納部１１の底面から立設しており、そのスライド移動方向Ａの両端は対向する両内側壁に接続されている。
【００１７】
第１スイッチケース１０の底面のスイッチ機構設置室１５の下面側には、図４に示すように一対のスリット状の端子挿通孔１９，２１が設けられている。スリットの向きはスライド移動方向Ａである。両端子挿通孔１９，２１はスライド移動方向Ａに所定距離離れ、且つスライド移動方向Ａに直交する方向に少しずれた位置に設けられている。
【００１８】
一方ロック及び弾発機構収納室１７内には、図３に示すように、その底面の略中央から上方向に向かって柱状のピン取付支持部２３が立設されており、その上面には小孔からなるピン取付部２５が設けられている。ピン取付支持部２３の外周側壁の１側面からはピン取付支持部２３の高さより低くてスライド移動方向Ａ（下記する操作体１１０のカム溝機構１２５の下部の位置）に向かって延びるカム機構支持部２６が設けられている。カム機構支持部２６はロック及び弾発機構収納室１７の底面から壁状に立設している。
【００１９】
第１スイッチケース１０のスライド移動方向Ａに平行な外周側壁１０ａ，１０ｃの上辺の両端近傍の内側位置（４ヶ所）には、スライド移動方向Ａに向かって延びる切り欠きからなるガイド溝２７が設けられている。また一対の外周側壁１０ａ，１０ｃの外面の所定位置にはそれぞれ２つの突部２９，３１を設けることでその間に係止溝３３を設けている（図３において奥側の突部２９及び係止溝３３は記載されていない）。またもう１つの外周側壁１０ｂにも２つの突部３５，３７を設けることでその間に係止溝３９を設けている。
【００２０】
スイッチ機構５０は図３に示すように、何れも金属板からなる、共通固定端子片６０と固定端子片７０と回転子８０と可動接触片９０と圧縮バネ１００とを具備して構成されている。共通固定端子片６０は略矩形状の端子部６１の上に他部品係止部６３を設けて形成されている。他部品係止部６３は端子部６１の上辺の一端近傍から帯状に上方向に突出した後に略直角に固定端子片７０から離れる方向に屈曲し、さらに上方向に屈曲して延びる形状に形成されており、これらの屈曲によって形成される２つの凹状の角部にそれぞれ係止溝６５，６７を設けている。
【００２１】
固定端子片７０は略矩形状の端子部７１の上に連結部７５を介して固定接点設置部７３を接続して形成されている。固定接点設置部７３は略矩形平板状であり、連結部７５の部分を略直角に折り曲げることで、端子部７１の面に対して略直交するように配置され、その上面中央には固定接点７７が取り付けられている。
【００２２】
回転子８０は中央に開口８１が設けられた基部８３と、基部８３の一端部両側辺からそれぞれ突出して上方向に屈曲することで対向させてなる一対のアーム形状の回動操作片８５と、基部８３の他端部両側辺からそれぞれ突出して上方向に屈曲することで対向させてなる一対の略Ｌ字形状の係止部８７と、両回動操作片８５の間の辺の中央部分を上方向に切り起こしてなる舌片状の係止突片８９とを具備して構成されている。回動操作片８５の先端部部分は押圧部８５ａ、係止部８７の略直角の凹部の部分は係合部８７ａとなっている。
【００２３】
可動接触片９０は略長方形状であって中央に開口９１が形成された基部９３と、基部９３の一端部に形成された略矩形状の可動接点取付部９５と、可動接点取付部９５の下面中央に取り付けられる可動接点９７（図６参照）と、可動接点取付部９５を設けた側の開口９１の内周辺によって形成されるバネ係止部９８と、可動接点取付部９５を設けた反対側の開口９１の内周辺によって形成される回転子係止部９９と、を具備して構成されている。
【００２４】
圧縮バネ１００は、矩形状の板バネを逆Ｕ字状に屈曲させて構成されており、その両端部にそれぞれ係止部１０１，１０３を設けている。
【００２５】
操作体１１０は合成樹脂を一体成形することによって略矩形状に形成されており、その外形寸法は、前記第１スイッチケース１０の収納部１１内にすっぽり収納されてスライド移動方向Ａにスライド移動できる外形寸法に形成されている。操作体１１０の上面中央には上方向に突出する柱状の操作レバー１１１が設けられ、また上面４隅の外周部分には左右に張り出す小突起状のガイド突起１１３が突設され、また上面４隅の上面には上方向に突出する小突起からなる当接部１１５が設けられている。ガイド突起１１３は前記第１スイッチケース１０のガイド溝２７に挿入される寸法に形成されている。操作体１１０の下面中央にはスライド移動方向Ａに向かって直線状に延びる凹状のレール係合部１１７が設けられている。レール係合部１１７は前記第１スイッチケース１０の分離壁１３にぴったり係合して分離壁１３をレールとして操作体１１０をスライド移動方向Ａに向けてスライド移動自在に支持するものである。またレール係合部１１７の一方の側（前記第１スイッチケース１０のスイッチ機構設置室１５に対向する側）の下面にはスライド移動方向に向かって延びる凹状のスイッチ機構収納部１１９が設けられ、レール係合部１１７の他方の側（前記第１スイッチケース１０のロック及び弾発機構収納室１７に対向する側）にはスライド移動方向に向かって延びる貫通孔からなるロック及び弾発機構収納部１２１と、ロック及び弾発機構収納部１２１の一端部に位置するカム機構形成部１２３とが設けられている。ロック及び弾発機構収納部１２１は第１スイッチケース１０のピン取付支持部２３を挿通する寸法に形成されている。カム機構形成部１２３は略矩形状の平板であってその上面には所定形状のカム溝機構１２５が設けられ、またカム機構形成部１２３の裏面にはスライド移動方向Ａに延びる直線状の凹部１２７が設けられている。
【００２６】
カム溝機構１２５は下記する連結ピン１５１と共にロック機構１５０を構成する部分である。このカム溝機構１２５は従来公知の各種プッシュロック用のカム溝機構（代表的にはハート型カム溝機構）であり、その内部に形成されるカム溝（環状溝）１２６内を下記する連結ピン１５１のカム係合部１５３が定められた１方向にループ状に移動していくものである。即ち、カム係合部１５３はロック解除時は非ロック位置ａ１に位置し、カム係合部１５３に対して操作体１１０がスライド移動方向Ａ（図２の左方向）に移動した際は一旦位置ａ２に移動し、その後前記移動を解除することでロック位置ａ３にロックされる。再び操作体１１０を前記スライド移動方向Ａ（図２の左方向）に移動するとカム係合部１５３は位置ａ４に移動し、前記移動を解除すると元の非ロック位置ａ１に戻る。
【００２７】
スイッチ機構収納部１１９内の対向する左右両側面には、薄板状に突出する一対ずつの押圧突部１２９，１３１が設けられ、両押圧突部１２９，１３１の間の隙間を上記回転子８０の押圧部８５ａを挿入する押圧部挿入部１３３としている。また押圧突部１２９の最も下方向に張り出している部分は可動接触片当接部１３５となっている。
【００２８】
連結ピン１５１は金属棒の両端を同一方向に略直角に折り曲げ、その一端をカム係合部１５３、他端を軸支部１５５としている。
【００２９】
弾発バネ１９０はこの実施形態では円筒形状のコイルバネ（圧縮コイルバネ）によって構成されている。
【００３０】
第２スイッチケース２１０は合成樹脂を略矩形の平板状に成形して構成されており、その外形寸法形状は前記第１スイッチケース１０の外形寸法形状と略同一に形成されている。第２スイッチケース２１０の略中央には前記操作体１１０の操作レバー１１１をスライド移動自在に貫通するレバー挿通部２１１が設けられ、また前記第１スイッチケース１０の係止溝３９に対向する一側辺には下方向に向かって屈曲する略Ｔ字状の係止片２１３が設けられ、また第２スイッチケース２１０の上面の係止片２１３を設けた反対側近傍部分には一対の小突起状の係合部２１５が設けられている。ここで図５は第２スイッチケース２１０を下面側から見た斜視図である。同図に示すように第２スイッチケース２１０の下面のレバー挿通部２１１に隣接する位置には、円形に突出する連結ピン押え部２１７と、連結ピン押え部２１７内にその一部が侵入し連結ピン押え部２１７よりも高い高さで直線状に突出するバネ押え部２１９とが設けられている。
【００３１】
取付板２３０は平板状の金属板を略コ字状に屈曲し、屈曲によって下方向に向かう部分の先端を２つに分離して一対ずつの係止部２３１を設けて構成されている。取付板２３０には前記第２スイッチケース２１０の一対の係合部２１５をそれぞれ係合する小孔からなるケース係合部２３３を設けている。
【００３２】
次にプッシュロックスイッチ１−１の組立方法を説明する。まず第１スイッチケース１０のスイッチ機構設置室１５内に共通固定端子片６０と固定端子片７０を収納し、それぞれの端子部６１，７１を第１スイッチケース１０の端子挿通孔１９，２１に挿入し、これら共通固定端子片６０と固定端子片７０とを第１スイッチケース１０の底面に固定する。次に共通固定端子片６０の端子部６１の上に回転子８０を配置してその際図６に示すように回転子８０の係止突片８９を共通固定端子片６０の係止溝６５に係合し、次に回転子８０の両回動操作片８５の間に可動接触片９０を配置してその際図６に示すように可動接触片９０の回転子係止部９９を回転子８０の係合部８７ａに係合し、次に可動接触片９０の上に圧縮バネ１００を配置してその際図６に示すように圧縮バネ１００の一方の係止部１０１を可動接触片９０のバネ係止部９８に係止すると共に他方の係止部１０３を可動接触片９０の開口９１を通してその下側に位置する共通固定端子片６０の係止溝６７に係止する。
【００３３】
これによってスイッチ機構５０は図６に示すように、第１スイッチケース１０に固定される共通固定端子片６０と、第１スイッチケース１０に固定され固定接点７７を有する固定端子片７０と、共通固定端子片６０に対して回動自在に係合される回転子８０と、回転子８０に対して回動自在に係合され且つ可動接点９７を有する可動接触片９０と、可動接触片９０と共通固定端子片６０間を弾発することで共通固定端子片６０と回転子８０と可動接触片９０間の係合状態を維持する圧縮バネ１００とを具備する構造に構成されている。なおこのとき図６に示すように固定接点７７と可動接点９７とは所定距離離間して位置している。またこのとき可動接触片９０はその長手方向がスライド移動方向Ａとほぼ平行になるように配置されている。
【００３４】
次に図２に示す操作体１１０を図３に示す第１スイッチケース１０の収納部１１内に収納する。そのとき操作体１１０のレール係合部１１７に第１スイッチケース１０の分離壁１３を挿入することで操作体１１０をスライド自在に支持する。このとき同時に各ガイド突起１１３が各ガイド溝２７に係合され、またピン取付支持部２３がロック及び弾発機構収納部１２１内に挿入され、また凹部１２７内にカム機構支持部２６が挿入される。さらにこのとき図６に示すようにスイッチ機構５０を構成する回転子８０の一対の押圧部８５ａはそれぞれ操作体１１０の一対の押圧部挿入部１３３内に挿入されており、また操作体１１０の一対の可動接触片押圧部１３５は可動接触片９０の可動接点取付部９５の左右両端近傍の上面に当接して可動接点取付部９５がこの位置よりも上方向に移動しないようにしている。
【００３５】
次に操作体１１０のロック及び弾発機構収納部１２１内に露出しているピン取付支持部２３上端のピン取付部２５に連結ピン１５１の軸支部１５５を挿入し、同時に連結ピン１５１のカム係合部１５３を操作体１１０のカム溝１２６内に係合する。次に弾発バネ１９０を操作体１１０のロック及び弾発機構収納部１２１内に所定寸法圧縮しながら挿入する。このとき弾発バネ１９０は図８に示すように第１スイッチケース１０のピン取付支持部２３の側面と操作体１１０のロック及び弾発機構収納部１２１内周面間を弾発するので、操作体１１０には常にこれを図８に示す右方向に移動させようとする弾発力が印加される。
【００３６】
次に第１スイッチケース１０上を覆うように第２スイッチケース２１０を被せ、そのとき第２スイッチケース２１０のレバー挿通部２１１に操作レバー１１１を挿通し、同時に係止片２１３を係止溝３９に係止する。そして第２スイッチケース２１０の上に取付板２３０を載置して第２スイッチケース２１０の各係合部２１５を取付板２３０の各ケース係合部２３３に挿入・係合する。このとき取付板２３０の一対ずつの係止部２３１を第１スイッチケース１０の係止溝３３に挿入し、各係止部２３１の先端を突部２９，３１の下面側に折り曲げれば、図１に示すプッシュロックスイッチ１−１が完成する。なお上記組立手順はその一例であり、他の各種異なる組立手順を用いて組み立てても良いことはいうまでもない。
【００３７】
次にプッシュロックスイッチ１−１の動作を説明する。図６〜図８はプッシュロックスイッチ１−１の動作説明図であり、図６は非ロック時のスイッチ機構５０部分の概略構成図、図７はロック時のスイッチ機構５０部分の概略構成図、図８はロック時のロック機構１５０と弾発バネ１９０の部分の概略構成図である。
【００３８】
まず非ロック時は図６に示すように、圧縮バネ１００の弾発力によって可動接触片９０は可動接点９７方向（前方）に向けて押し出すように弾発され、回転子８０は図６に示す右方向に回転してその押圧部８５ａが操作体１１０の押圧部挿入部１３３の押圧突部１２９側の側面に当接する。このとき可動接触片９０の回転子係止部９９は上昇位置にあり、また可動接点取付部９５の上面は操作体１１０の可動接触片当接部１３５に当接し、可動接点９７は固定接点７７から離れており、両端子部６１，７１間はオフになっている。つまりこのとき回転子８０は係止突片８９を中心に右回転方向に付勢され、可動接触片９０は回転子係止部９９を中心に左回転方向に付勢されている。またこのとき連結ピン１５１のカム係合部１５３は図２に示す非ロック位置ａ１（図２参照）に位置している。
【００３９】
次に操作レバー１１１を図６に示す左方向（矢印Ａ１方向）に移動していくと、前記押圧部８５ａが押圧突部１２９側の側面に押圧されて回転子８０は圧縮バネ１００の弾発力に抗して係止突片８９を中心に左回りに回転してゆき、これによって前記可動接触片９０の回転子係止部９９の位置が下降し、所定の位置以下に下降すると、可動接触片９０には前記圧縮バネ１００による付勢力の方向が回転子係止部９９を中心に左回転方向から右回転方向に変換され、これによって可動接触片９０は右回転して可動接触片当接部１３５への当接が解除されるとともに可動接点９７は固定接点７７に当接し、スナップアクションにてスイッチがオンする。さらにもう少し操作体１１０を左方向Ａ１に移動すると圧縮バネ１００による回転子８０への付勢力の方向も右回転方向から左回転方向に変換され、その瞬間に回転子８０は自動的に左回転し、図７に示す状態になり、この状態に安定して保持される。このとき連結ピン１５１のカム係合部１５３は図２に示すロック位置ａ３（図２参照）にあるので、操作体１１０はこの位置に保持される。
【００４０】
次に操作レバー１１１を図７に示す左方向（矢印Ａ１方向）に少し移動すると、図２に示す前記連結ピン１５１のカム係合部１５３はロック位置ａ３を抜け出して位置ａ４に移動し、次に前記操作レバー１１１への押圧を解除すると弾発バネ１９０の弾発力によって操作体１１０は図７に示す右方向（矢印Ａ２方向）に移動を始め、回転子８０の押圧部８５ａが操作体１１０の押圧部挿入部１３３の押圧突部１３１側の側面に押圧されて右回転してゆき、可動接触片９０の回転子係止部９９の位置が上昇し、所定の位置以上に上昇すると、回転子８０に対する圧縮バネ１００の付勢力の方向が左回転方向から右回転方向に変換され、略同時に可動接触片９０に対する圧縮バネ１００の付勢力の方向が右回転方向から左回転方向に変換され、これによって可動接触片９０は図６に示す状態に戻り、可動接点９７が固定接点７７から離間して、スナップアクションにてスイッチがオフする。このとき連結ピン１５１のカム係合部１５３は元の非ロック位置ａ１に戻る。
【００４１】
以上説明したようにプッシュロックスイッチ１−１は、第１，第２スイッチケース１０，２１０と、第１，第２スイッチケース１０，２１０内にスライド移動自在に収納される操作体１１０と、操作体１１０を第１，第２スイッチケース１０，２１０内においてスライド移動方向Ａに弾発する弾発バネ１９０と、第１，第２スイッチケース１０，２１０内に設置され、操作体１１０のスライド移動によって接点（固定接点７７と可動接点９７）が開閉制御されるスイッチ機構５０と、第１，第２スイッチケース１０，２１０内に設置され、操作体１１０を弾発バネ１９０の弾発力に抗して押圧移動したロック位置ａ３にてロック保持するとともに再度の押圧によって非ロック位置ａ１に自動復帰させるロック機構１５０とを具備して構成されている。
【００４２】
ここでスイッチ機構５０は、第１スイッチケース１０に固定される共通固定端子片６０と、第１スイッチケース１０に固定され固定接点７７を有する固定端子片７０と、共通固定端子片６０に対して回動自在に係合され且つ操作体１１０の移動によって回転駆動される回転子８０と、回転子８０に対して回動自在に係合され且つ可動接点９７を有する可動接触片９０と、可動接触片９０と共通固定端子片６０間を弾発することで共通固定端子片６０と回転子８０と可動接触片９０間の係合状態を維持すると同時に回転子８０の回転位置に応じて可動接触片９０の可動接点９７と固定端子片７０の固定接点７７間をオン又はオフさせる圧縮バネ１００とを具備して構成されている。
【００４３】
またロック機構１５０は、両端部分を略直角に屈曲してなる棒状の連結ピン１５１の一端を回動自在に第１スイッチケース１０に軸支するとともに、連結ピン１５１の他端を操作体１１０に設けたカム溝機構１２５内に挿入係合して操作体１１０のスライド移動位置に応じてカム溝機構１２５内での係合位置を変更することで操作体１１０をそのロック位置と非ロック位置とに移動させる構造となっている。
【００４４】
そしてこのプッシュロックスイッチ１−１は、図１に示すように、ロック機構１５０を設置する領域Ｓ２と弾発バネ１９０を設置する領域Ｓ３とをスライド移動方向Ａに向けて直線状に併設しており、且つスイッチ機構５０を設置する領域Ｓ１と前記両領域Ｓ２，Ｓ３とを操作体１１０のスライド移動方向Ａに対して交叉する対向位置に並列に配置しているので、プッシュロックスイッチ１−１のスライド移動方向Ａに向かう長さ寸法を短くできてその小型化を図ることができる。特にこの実施形態の場合、弾発機構１９０として円筒形状に巻き回されたコイルバネを用いているが、コイルバネの圧縮方向の長さ寸法を長くして良好な押圧感触や、十分な押圧ストロークを得るようにしても、上述のように弾発バネ１９０をスイッチ機構５０に併設させることによってプッシュロックスイッチ１−１を十分小型化させることができる。
【００４５】
またこのプッシュロックスイッチ１−１の可動接触片９０は、その長手方向が操作体１１０のスライド移動方向Ａとほぼ平行になるように配置されているので、スイッチ機構５０全体の長手方向の向きも操作体１１０のスライド移動方向Ａと略一致でき、このためプッシュロックスイッチ１−１のスライド移動方向Ａに直交する方向の外形寸法（図１に示す幅寸法Ｌ１）を小さくすることができる。
【００４６】
またこのプッシュロックスイッチ１−１の連結ピン１５１は、その長手方向が操作体１１０のスライド移動方向Ａとほぼ平行になるように配置されているので、ロック機構１５０全体の長手方向の向きも操作体１１０のスライド移動方向Ａと略一致でき、この点からもプッシュロックスイッチ１−１の幅寸法Ｌ１を小さくすることができる。
【００４７】
またこのプッシュロックスイッチ１−１の第１スイッチケース１０内にスライド移動方向Ａに向かう分離壁１３を設け、分離壁１３で分離された一方の室１５にスイッチ機構５０を収納し、他方の室１７にロック機構１５０と弾発バネ１９０を収納したので、スイッチ機構５０のスイッチのオンオフ時に発生するアークに伴って生じる接点からの金属微粒子がロック機構１５０や弾発バネ１９０側に移動して付着してその動作に支障をきたすことを確実に防止できる。同時に分離壁１３はこれを操作体１１０のスライド移動をガイドするレールとして用いているので、操作体１１０に設けたレール係合部１１７をこのレール（分離壁１３）に係合させることによってロック機構１５０及び弾発バネ１９０を収納する室１７とスイッチ機構５０を収納する室１５とをより確実に分離できる。
【００４８】
ところで上述のように操作体１１０の支持はレール係合部１１７と分離壁１３との係合によって行なわれているが、操作体１１０に力が加わって少し傾くような場合は、前記ガイド溝２７とガイド突起１１３間の当接、当接部１１５と第２スイッチケース２１０下面間の当接、カム機構支持部２６上面と凹部１２７底面間の当接によって操作体１１０はその傾きが確実に防止される。また連結ピン押え部２１７は連結ピン１５１の上方向への移動（抜け）を阻止し、バネ押え部２１９は弾発バネ１９０の上方向への移動（抜け）を阻止している。
【００４９】
〔第２実施形態〕
図９は本発明の第２実施形態にかかるプッシュロックスイッチ１−２の斜視図、図１０はプッシュロックスイッチ１−２の分解斜視図（その上側の部品）、図１１はプッシュロックスイッチ１−２の分解斜視図（その下側の部品）である。これらの図に示すプッシュロックスイッチ１−２において、前記図１〜図８に示すプッシュロックスイッチ１−１と同一又は相当部分には同一符号を付す。なお以下で説明する事項以外の事項については、前記図１〜図８に示す実施形態と同じである。
【００５０】
このプッシュロックスイッチ１−２において前記プッシュロックスイッチ１−１と相違する点は、操作体１１０に設ける操作レバー１１１の位置を変更し、これに伴って第１，第２スイッチケース１０，２１０の形状に若干の変更を加えた点のみである。即ちこの実施形態においては操作レバー１１１の位置を、操作体１１０の上面に代えて、スライド移動方向Ａに直交する１側面（操作体１１０が弾発バネ１９０によって押圧される側の側面）の中央位置にしている。つまり操作レバー１１１はスライド移動方向Ａと同一方向を向いている。これに伴って第１スイッチケース１０の外周側壁１０ｄには操作レバー１１１を外部に引き出すための矩形状の切り欠きからなる操作レバー挿通部４１が設けられ、また第２スイッチケース２１０の操作レバー挿通部４１に対向する位置には操作レバー挿通部４１の上部を少し塞ぐための舌片状の覆い部２２１が設けられている。
【００５１】
このプッシュロックスイッチ１−２の場合も、操作レバー１１１の位置が異なるだけで、前記第１実施形態の場合と同一の動作が発揮され、同一の作用効果を生じる。
【００５２】
なおプッシュロックスイッチ１−１に対してプッシュロックスイッチ１−２は操作レバー１１１がスライド移動方向Ａに突出しているので、スライド移動方向Ａに向かう長さ寸法を短くするためには、プッシュロックスイッチ１−１の方がより好ましい。
【００５３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記プッシュロックスイッチ１−１，１−２を構成する各部品の形状構造に種々の変更が可能であることはいうまでもない。また上記各実施形態では弾発機構として弾発バネ（コイルバネ）を用いたが、板バネやその他の各種構造の弾発バネを用いても良い。また上記スイッチ機構やロック機構の構成も上記実施形態のものに限定されず、他の各種構造からなるスイッチ機構やロック機構であっても良い。
【図面の簡単な説明】
【００５４】
【図１】プッシュロックスイッチ１−１の斜視図である。
【図２】プッシュロックスイッチ１−１の分解斜視図（その上側の部品）である。
【図３】プッシュロックスイッチ１−１の分解斜視図（その下側の部品）である。
【図４】第１スイッチケース１０を下面側から見た斜視図である。
【図５】第２スイッチケース２１０を下面側から見た斜視図である。
【図６】プッシュロックスイッチ１−１の動作説明図である。
【図７】プッシュロックスイッチ１−１の動作説明図である。
【図８】プッシュロックスイッチ１−１の動作説明図である。
【図９】プッシュロックスイッチ１−２の斜視図である。
【図１０】プッシュロックスイッチ１−２の分解斜視図（その上側の部品）である。
【図１１】プッシュロックスイッチ１−２の分解斜視図（その下側の部品）である。
【符号の説明】
【００５５】
１−１  プッシュロックスイッチ
１０  第１スイッチケース（スイッチケース）
１１  収納部
１３  分離壁
１５  室（スイッチ機構設置室）
１７  室（ロック及び弾発機構収納室）
５０  スイッチ機構
６０  共通固定端子片
７０  固定端子片
７７  固定接点
８０  回転子
９０  可動接触片
９７  可動接点
１００  圧縮バネ
１１０  操作体
１２５  カム溝機構
１５０  ロック機構
１５１  連結ピン
１９０  弾発バネ（コイルバネ、弾発機構）
２１０  第２スイッチケース（スイッチケース）
２３０  取付板
Ａ  スライド移動方向
１−２  プッシュロックスイッチ
【図１】
2010033950.tif 000003
【図２】
2010033950.tif 000004
【図３】
2010033950.tif 000005
【図４】
2010033950.tif 000006
【図５】
2010033950.tif 000007
【図６】
2010033950.tif 000008
【図７】
2010033950.tif 000009
【図８】
2010033950.tif 000010
【図９】
2010033950.tif 000011
【図１０】
2010033950.tif 000012
【図１１】
2010033950.tif 000013